(57)【特許請求の範囲】
【請求項１】
躯体に固定された一対の縦枠と、該一対の縦枠間に設けられ該一対の縦枠に固定された無目と、該無目の上側に配置されて該無目に固定された上障子と、前記一対の縦枠に上下方向に移動可能に支持された下障子と、を有する上げ下げ窓において、
不燃材料で形成されているとともに、前記縦枠に固定されて前記無目を下側から支持可能な無目支持具を有し、
前記無目支持具は、
支持板部と、
前記支持板部の端部から下側に突出し前記縦枠に固定される固定板部と、から形成され、
前記支持板部は、前記無目の下面と隙間をあけて対向して配置されることを特徴とする上げ下げ窓。
【請求項２】
前記縦枠と前記躯体との間に配置され前記縦枠に固定された裏板を有し、
該裏板は、不燃材料で形成されているとともに、前記無目支持具が前記縦枠を介して固定される請求項１に記載の上げ下げ窓。
【請求項３】
前記無目は、中空部を有する本体部と、該本体部の内部に設けられて不燃材料で形成された芯材を有する請求項１又は２に記載の上げ下げ窓。
【請求項４】
前記無目と前記上障子の下框との間に第１加熱発泡材が設けられている請求項１乃至３のいずれか一項に記載の上げ下げ窓。
【請求項５】
前記無目の上面における前記一対の縦枠の近傍に第２加熱発泡材が設けられている請求項１乃至４のいずれか一項に記載の上げ下げ窓。
【発明の詳細な説明】
【技術分野】
【０００１】
本発明は、上げ下げ窓に関する。
【背景技術】
【０００２】
従来、上障子が一対の縦枠に固定され、下障子が上下に移動して開口部を開閉する上げ下げ窓が知られている（例えば、特許文献１参照）。また、一対の縦枠間に無目が設けられていて、上障子が上枠と無目との間に配置され無目に固定された上げ下げ窓も知られている。  
【先行技術文献】
【特許文献】
【０００３】
【特許文献１】特開２０１４−１１８６９７号公報
【発明の概要】
【発明が解決しようとする課題】
【０００４】
上障子が無目に固定された上げ下げ窓では、火災時に無目のアルミ部分が溶融して、無目の強度が低下する虞がある。これにより、無目が撓んで上障子が下がり上障子と上枠との間に隙間が生じたり、無目が上障子の重量に耐えきれず無目および上障子が落下したりして、上げ下げ窓の防火性能が低下する虞がある。
【０００５】
そこで、本発明は、防火性能を向上させることができる上げ下げ窓を提供することを目的とする。
【課題を解決するための手段】
【０００６】
上記目的を達成するため、本発明に係る上げ下げ窓は、躯体に固定された一対の縦枠と、該一対の縦枠間に設けられ該一対の縦枠に固定された無目と、該無目の上側に配置されて該無目に固定された上障子と、前記一対の縦枠に上下方向に移動可能に支持された下障子と、を有する上げ下げ窓において、不燃材料で形成されているとともに、前記縦枠に固定されて前記無目を下側から支持可能な無目支持具を有し、前記無目支持具は、支持板部と、前記支持板部の端部から下側に突出し前記縦枠に固定される固定板部と、から形成され、前記支持板部は、前記無目の下面と隙間をあけて対向して配置されることを特徴とする。
【０００７】
本発明では、不燃材料で形成されているとともに、縦枠に固定されて無目を下側から支持可能な無目支持具を有することにより、火災時に無目が下側に撓んだり落下したりすることを防止することができる。これにより、上障子が下がり上枠と上障子との間に隙間が生じたり、上障子が落下したりすることを防止でき、上げ下げ窓の防火性能を向上させることができる。
また、本発明では、無目に作用する荷重を縦枠の無目が直接固定された部分だけでなく、縦枠の無目支持具が固定された部分からも縦枠に伝達することができる。これにより、縦枠の広い範囲において無目の荷重が伝達されるため、無目の荷重が集中することによる縦枠の変形を防止することができる。
【０００８】
また、本発明に係る上げ下げ窓では、前記縦枠と前記躯体との間に配置され前記縦枠に固定された裏板を有し、該裏板は、不燃材料で形成されているとともに、前記無目支持具が前記縦枠を介して固定されることが好ましい。
このような構成とすることにより、無目支持具を縦枠に確実に固定することができるため、火災時に無目が下側に撓んだり落下したりすることを防止することができる。
また、裏板を無目支持具が取り付けられる範囲よりも広い範囲において縦枠に固定することにより、縦枠の広い範囲において無目の荷重が伝達されるため、無目の荷重が集中することによる縦枠の変形を防止することができる。
【０００９】
また、本発明に係る上げ下げ窓では、前記無目は、中空部を有する本体部と、該本体部の内部に設けられて不燃材料で形成された芯材を有することが好ましい。
このような構成とすることにより、火災時に無目が下側に撓むことを防止することができる。これにより、上障子が下がり上枠と上障子との間に隙間が生じることを防止できる。
【００１０】
また、本発明に係る上げ下げ窓では、前記無目と前記上障子の下框との間に第１加熱発泡材が設けられていることが好ましい。
このような構成とすることにより、火災時に第１加熱発泡材が発泡して無目と上障子の下框との隙間を埋めることができる。
【００１１】
また、本発明に係る上げ下げ窓では、前記無目の上面における前記一対の縦枠の近傍に第２加熱発泡材が設けられていることが好ましい。
このような構成とすることにより、火災時に第２加熱発泡材が発泡して上障子の下框と縦枠との隙間を埋めることができる。
【発明の効果】
【００１２】
本発明によれば、上げ下げ窓の防火性能を向上させることができる。
【図面の簡単な説明】
【００１３】
【図１】本発明の実施形態による上げ下げ窓の一例を示す図で室外側から見た様子を示す図である。
【図２】図１のＡ−Ａ線断面図である。
【図３】無目と無目支持具を説明する図で、図１のＢ−Ｂ線断面に対応する図である。
【図４】無目の上面図である。
【図５】無目を室内側から見た図である。
【図６】（ａ）芯材を室内側から見た図、（ｂ）は（ａ）のＣ−Ｃ線断面図である。
【図７】無目支持部を説明する図である。
【図８】（ａ）は無目支持具を見付け方向外側から見た図、（ｂ）は（ａ）のＤ方向矢視図、（ｃ）は（ｂ）を上側から見た図である。
【図９】裏板を説明する図である。
【発明を実施するための形態】
【００１４】
以下、本発明の実施形態による上げ下げ窓について、図１乃至図９に基づいて説明する。
図１に示すように、本実施形態による上げ下げ窓１は、建物１１の室外側と室内側とを仕切る壁部（躯体）１２に固定された枠２と、枠２の内側に配置された上障子３および下障子４と、を有している。
【００１５】
枠２は、見付け方向に延在する上枠２１および下枠２２と、上下方向に延在し上枠２１および下枠２２それぞれの見付け方向の両端部に連結された一対の縦枠２３，２３と、見付け方向に延在し見付け方向の両端部がそれぞれ一対の縦枠２３，２３の上下方向の中間部に固定された無目５と、一対の縦枠２３，２３にそれぞれ固定されて無目５を下側から支持可能な一対の無目支持部６，６と、を有している。
【００１６】
本実施形態では、上障子３は、一対の縦枠２３，２３の間で上枠２１と無目５との間に配置され、無目５に固定されている。下障子４は、一対の縦枠２３，２３の間に配置されて、上下方向に移動して一対の縦枠２３，２３の間で無目５と下枠２２との間の開口を開閉可能に構成されている。本実施形態では、下障子４が無目５と下枠２２との間の開口を閉鎖した状態となると、上障子３と下障子４とが上下方向に重なるように構成されている。
【００１７】
本実施形態では、一対の無目支持部６，６のうちの一方の無目支持部６が一対の縦枠２３，２３の一方の縦枠２３に固定され、他方の無目支持部６が他方の縦枠２３に固定されている。一対の縦枠２３，２３および一対の無目支持部６，６は、見込み方向からみて左右対他方の縦枠２３および他方の無目支持部６の説明は省略する。
【００１８】
図２に示すように、縦枠２３には、無目５が固定される位置に、無目５を縦枠２３に固定するためのネジなどの第１固定具５１１（図７参照）が挿通される第１孔部２３ａが形成されている。また、縦枠２３には、第１孔部２３ａよりも下側に、第２固定具６３（図７参照）が挿通される２つの第２孔部２３ｂ，２３ｂが上下方向に間隔をあけて形成され、第１孔部２３ａよりも上側に、第３固定具６４（（図７参照））が挿通される第３孔部２３ｃ，２３ｃが上下方向に間隔をあけて形成されている。
【００１９】
無目５は、見付け方向に延在する本体部５１と、本体部５１の内部に配置され見付け方向に延在する芯材５２と、を有している。
本体部５１は、例えばアルミニウムなどを材料として形成され、見付け方向の両端部が公知の方法によって一対の縦枠２３，２３にそれぞれ固定されている。本実施形態では、本体部５１は、第１固定具５１１，５１１によって一対の縦枠２３，２３にそれぞれ固定されている。
本体部５１は、見付け方向に延在し内部に中空部５３ａが形成された略角筒状の角筒部５３と、角筒部５３の室外側の端部よりもやや室内側の位置から上側に突出する上側突出部５４と、角筒部５３の室内側の端部から下側に突出する下側突出部５５と、を有している。
【００２０】
図３乃至５に示すように、角筒部５３は、中空部５３ａの上側に配置される本体上板部５３１（図３および図５参照）と、中空部５３ａの下側に配置される本体下板部５３２（図３参照）と、中空部５３ａの室外側に配置される本体外板部５３３（図３参照）と、中空部５３ａの室内側に配置される本体内板部５３４（図３および図３参照）と、を有している。
本体外板部５３３は、本体上板部５３１の室外側の端部および本体下板部５３２の室外側の端部近傍に連結されている。本体内板部５３４は、本体上板部５３１の室内側の端部および本体下板部５３２の室内側の端部近傍に連結されている。
【００２１】
本体上板部５３１は、板面が略水平面となる平板状に形成されている。本体上板部（図３参照）が設けられている。被係止部５３５は、本体上板部５３１と一体に形成されている。
本体下板部５３２は、板面が略水平面となる平板状に形成されている。本体下板部５３２には、室内側の端部よりもやや室外側に向かった位置から下側に突出する第１突出片５３６と、室内側の端部から上側に突出する第２突出片５３７と、が設けられている。第１突出片５３６および第２突出片５３７は、本体下板部５３２の見付け方向の略全体にわたるように設けられている。
【００２２】
本体外板部５３３は、上下方向の中間部５３３ａが下側から上側に向かって漸次室内側から室外側に向かうように傾斜する板状に形成され、中間部５３３ａよりも上側の部分５３３ｂが中間部５３３ａの上端部から上側に延びる板面が見込み方向を向く略鉛直面となる板状に形成され、中間部５３３ａよりも下側の部分５３３ｃが中間部５３３ａの下端部から下側に延びる板面が見込み方向を向く略鉛直面となる板状に形成されている。
【００２３】
本体内板部５３４は、板面が見込み方向を向く略鉛直面となる板状に形成されている。本体内板部５３４の上端部近傍は、本体上板部５３１よりも上側に突出している。
本体内板部５３４には、上障子３を無目５に固定するための固定部材５６（図２参照）を固定するネジなどの固定部材用固定具５６１（図２参照）が挿通される第１孔部５３４ａ，５３４ａ…と、本体部５１と芯材５２とを固定するためのネジなどの芯材用固定具５２４（図３参照）が挿通される第２孔部５３４ｂ，５３４ｂ…と、が形成されている。
【００２４】
上側突出部５４は、板面が見込み方向を向く略鉛直面となる板状に形成されている。上側突出部５４の上端部には、上障子３の下框３１と当接する第１パッキン５７を係止する第１パッキン係止部５４１が形成されている。第１パッキン５７は、上側突出部５４の室内側に設けられている。
下側突出部５５は、板面が見込み方向を向く略鉛直面となる板状に形成されている。下側突出部５５には、下障子４の上框４１と当接する第２パッキン５８を係止する第２パッキン係止部５５１が形成されている。第２パッキン５８は、下側突出部５５の室内側に設けられている。
【００２５】
図３乃至図６に示すように、芯材５２は、本体部５１の角筒部５３の内部に配置され、角筒部５３よりも見付け方向の寸法がやや小さく形成されている。芯材５２は、断面形状が上側に開口する略Ｃ字形状に形成されている。
図６に示すように、芯材５２は、板面が略水平面となり下側に配置される芯材下板部５２１と、芯材下板部５２１の室外側の縁部から上側に突出する芯材外板部５２２と、芯材下板部５２１の室内側の縁部から上側に突出する芯材内板部５２３と、有している。
芯材内板部５２３には、固定部材用固定具５６１（図２参照）が挿通される第１孔部５２３ａ，５２３ａ…と、芯材用固定具５２４（図３参照）が挿通される第２孔部５２３ｂ，５２３ｂ…と、が形成されている。
【００２６】
図３に戻り、芯材５２は、角筒部５３の内部に配置されると、芯材下板部５２１が本体下板部５３２の上に配置され、芯材外板部５２２が本体外板部５３３の室内側に配置され、芯材内板部５２３が本体内板部５３４の室外側に配置されている。このように角筒部５３の内部に配置された芯材５２は、本体内板部５３４の第２孔部５３４ｂ，５３４ｂおよび芯材内板部５２３の第２３孔部５２３ｂ，５２３ｂに挿通された芯材用固定具５２４によって本体部５１に固定されている。
【００２７】
図２および図７に示すように、無目支持部６は、無目５の下側における無目５と縦枠２３とがなす角部に配置され縦枠２３に固定された無目支持具６１と、縦枠２３と壁部１２との間に配置され縦枠２３に固定された裏板６２と、無目支持具６１を縦枠２３および裏板６２とともに壁部１２に固定するネジなどの第２固定具６３，６３と、縦枠２３および裏板６２をともに壁部１２に固定するネジなどの第３固定具６４，６４と、を有している。これらの無目支持具６１、裏板６２、第２固定具６３および第３固定具６４は、不燃材料で形成されている。
【００２８】
図７および図８に示すように無目支持具６１は、無目５（図１参照）と縦枠２３（図１参照）とがなす角部に沿った略Ｌ字形状に形成されている。無目支持具６１は、板面が略水平面となり無目５の本体下板部５３２の下面と当接またはわずかな隙間をあけて対向して配置される支持板部６１１と、支持板部６１１の見付け方向外側（壁部１２に近接する側）の端部から下側に突出し板面が見付け方向を向く略鉛直面となり縦枠２３の見付け方向内側（壁部１２と離間する側）の面と対向して固定される固定板部６１２と、を有している。
【００２９】
固定板部６１２は、室内側に配置される第１固定板部６１３と、室外側に配置される第２固定板部６１４とを有している。第１固定板部６１３と第２固定板部６１４とは、見込み方向に間隔をあけて配置されている。なお、第１固定板部６１３および第２固定板部６１４は、それぞれ上縁部が支持板部６１１と連結されている。
第１固定板部６１３および第２固定板部６１４は、それぞれ板面が見込み方向よりも上下方向に長い略長方形状に形成されている。第１固定板部６１３は、高さ寸法が第２固定板部６１４と略同じで、見込み方向の寸法が第２固定板部６１４よりも大きく形成されている。
【００３０】
第１固定板部６１３には、それぞれ第２固定具６３が挿通される２つの第４孔部６１３ａ，６１３ａが上下方向に間隔をあけて形成されている。なお、第２固定板部６１４には、ネジなどの固定具が挿通される孔部が形成されていない。
支持板部６１１は、板面が見込み方向よりも見付け方向に長い略長方形状に形成されている。
支持板部６１１には、固定板部６１２と接続される側の縁部近傍に、固定板部６１２の第１固定板部６１３と第２固定板部６１４との間隔と対応する位置に見付け方向の内側に凹む凹部６１１ａが形成されている。
図７に示すように、このような無目支持具６１は、固定板部６１２が縦枠２３に固定されると、支持板部６１１が無目５の下側に配置されて無目５を下側から支持可能に構成されている。また、固定板部６１２が縦枠２３に固定されると、支持板部６１１は、無目５の本体下板部５３２の第１突出片５３６よりも室外側に配置されている。
【００３１】
図７および図９に示すように、裏板６２は、板面が長尺の略長方形となる板状に形成されている。裏板６２は、板面が見付け方向を向く略鉛直面となり、上下方向に延びる状態で、縦枠２３の見付け方向の外側の面と壁部１２の開口部の縁部との間に配置されている。
裏板６２は、縦枠２３と壁部１２との間に配置されると、上下方向の中間部が無目５と見付け方向に重なる位置に配置され、中間部よりも下側が無目支持具６１と見付け方向に重なる位置に配置されている。
裏板６２の上下方向の中間部には、第１固定具５１１が挿通される１つの第５孔部６２ａが形成されている、裏板６２の中間部よりも下側には、それぞれ第２固定具６３が挿通される２つの第６孔部６２ｂ，６２ｂが上下方向に間隔をあけて形成されている。裏板６２の中間部よりも上側には、それぞれ第３固定具６４が挿通される２つの第７孔部６２ｃ，６２ｃが上下方向に間隔をあけて形成されている。
【００３２】
図２に戻り、上障子３は、見付け方向に延在する上框（不図示）および下框３１と、上下方向に延在する一対の縦框（不図示）と、これらの框の内側に組み込まれた複層ガラス３２と、を有している。上障子３は、下框３１が無目５に固定されている。
下框３１の室外側３１ａは、無目５の本体部５１の上側突出部５４の室内側の面と見込み方向に対向し、上側突出部５４に係止された第１パッキン５７と当接している。下框３１の下面３１ｂは、無目５の本体部５１の本体上板部５３１の上面と隙間を空けて対向している。
【００３３】
本実施形態では、下框３１の下面３１ｂに、無目５の本体上板部５３１の上面と対向するように、見付け方向全体にわたって第１加熱発泡材３３が設けられている。第１加熱発泡材３３は、例えばシート状に形成され、火災時に所定以上の温度となると発泡し、下框３１の下面３１ｂと無目５の本体上板部５３１の上面との隙間を塞ぐように構成されている。
また、本実施形態では、図２および図４に示すように、無目５の本体上板部５３１の上面における見付け方向の両端部近傍に、それぞれ第２加熱発泡材５９が設けられている。第２加熱発泡材５９は、火災時に所定以上の温度となると発泡し、下框３１と縦枠２３との隙間および無目５と下框３１との隙間を塞ぐように構成されている。
【００３４】
図２に示すように、下障子４は、見付け方向に延在する上框４１および下框（不図示）と、上下方向に延在する一対の縦框（不図示）と、これらの框の内側に組み込まれた複層ガラス４２と、を有する公知の構造で構成されている。下障子４は、下側に移して無目５と下枠２２との間の開口を閉鎖した状態となると、無目５の室内側に上框４１が配置され、上框４１の室外側４１ａが無目５の下側突出部５５に係止された第２パッキン５８と当接している。
また、本実施形態では、下障子４の上框４１の室外側の面に無目５の室内側の面と対向するように見付け方向全体にわたって第３加熱発泡材４３が設けられている。第３加熱発泡材４３は、例えばシート状に形成され、火災時に所定以上の温度となると発泡し、上框４１の室外側の面と無目５の室内側の面との隙間を塞ぐように構成されている。これにより、火災時の下障子４と無目５との間の炎の貫通を防ぐことができる。
【００３５】
次に、無目支持部６の縦枠２３への固定方法について説明する。
まず、無目支持部６の裏板６２を枠２の縦枠２３の見付け方向外側の面に固定する。裏板６２の縦枠２３への固定は、無目５を縦枠２３に固定する際に、縦枠２３の見付け方向内側に無目５を配置し、縦枠２３の見付け方向外側に裏板６２を配置して、第１固定具５１１を裏板６２の第５孔部６２ａ、縦枠２３の第１孔部２３ａに挿通させるとともに無目５の被係止部に螺合させて固定する。
続いて、枠２を壁部１２の開口部に設置するとともに、無目支持具６１を無目５と縦枠２３との角部に配置する。このとき、無目支持具６１の支持板部６１１を無目５の本体下板部５３２と対向させ、固定板部６１２を縦枠２３の見付け方向内側の面と対向させる。
そして、第２固定具６３を無目支持具６１の第４孔部６１ａ，６１ａ、縦枠２３の第２孔部２３ｂ，２３ｂ、および裏板６２の第６孔部６２ｂ，６２ｂに挿通させて共締めして壁部１２に固定するとともに、第３固定具６４を縦枠２３の第３孔部２３ｃ，２３ｃおよび裏板６２の第７孔部６２ｃ，６２ｃに挿通させて共締めして壁部１２に固定する。
このようにして無目支持部６が縦枠２３に固定される。
【００３６】
次に、上述した本実施形態による上げ下げ窓の作用・効果について図面を用いて説明する。
上述した本実施形態による上げ下げ窓１では、不燃材料で形成されているとともに、縦枠２３に固定されて無目５を下側から支持可能な無目支持具６１を有することにより、火災時に無目５が下側に撓んだり落下したりすることを防止することができる。これにより、上障子３が下がり上枠２１と上障子３との間に隙間が生じたり、上障子３が落下したりすることを防止でき、上げ下げ窓１の防火性能を向上させることができる。
また、本発明では、無目５に作用する荷重を縦枠２３の無目５が直接固定された部分だけでなく、縦枠２３の無目支持具６１が固定された部分からも縦枠２３に伝達することができる。これにより、縦枠２３の広い範囲において無目５の荷重が伝達されるため、無目５の荷重が集中することによる縦枠２３の変形を防止することができる。
【００３７】
また、縦枠２３の壁部１２側には不燃材料で形成された裏板６２が固定されていることにより、無目支持具６１を縦枠２３に確実に固定することができるため、火災時に無目５が下側に撓んだり落下したりすることを防止することができる。
また、裏板６２を無目支持具６１が取り付けられる範囲よりも広い範囲において縦枠２３に固定することにより、縦枠２３の広い範囲において無目５の荷重が伝達されるため、無目５の荷重が集中することによる縦枠２３の変形を防止することができる。
【００３８】
また、無目５の本体部５１の内部に不燃材料で形成された芯材５２が設けられていることにより、火災時に無目５が変形して下側に撓むことを防止することができる。これにより、上障子３が下がり上枠と上障子３との間に隙間が生じることを防止できる。
【００３９】
また、無目５と上障子３の下框３１との間に第１加熱発泡材３３が設けられていることにより、火災時に第１加熱発泡材３３が発泡して無目５と上障子３の下框との隙間を埋めることができる。
また、無目５の上面における見付け方向の両端部近傍に第２加熱発泡材５９が設けられていることにより、火災時に第２加熱発泡材５９が発泡して上障子３の下框３１と縦枠２３との隙間および無目５と上障子３の下框３１との隙間を埋めることができる。
【００４０】
以上、本発明による上げ下げ窓の実施形態について説明したが、本発明は上記の実施形態に限定されるものではなく、その趣旨を逸脱しない範囲で適宜変更可能である。
例えば、上記の実施形態では、縦枠２３と壁部１２との間に裏板６２が設けられているが設けられていなくてもよい。
また、上記の実施形態では、無目５は、本体部５１の内部に芯材５２が設けられているが、設けられていなくてもよい。
また、上記の実施形態では、無目５と上障子３の下框３１との間に第１加熱発泡材３３が設けられているが、設けられていなくてもよい。
また、上記の実施形態では、無目５の上面における縦枠２３の近傍には第２加熱発泡材５９が設けられているが、設けられていなくてもよい。
また、上記の実施形態では、下障子４が無目５と下枠２２との間の開口を閉鎖した状態となると、上障子３と下障子４とが上下方向に重なるように構成されているが、下障子４が上障子３よりも室内側に配置されるように構成されていてもよい。
【００４１】
また、上記の実施形態では、それぞれ支持板部６１１および固定板部６１２を有する一対の無目支持具６１で無目５を支持しているが、１つの支持板部６１１が、無目５の見付け方向全長にわたるように形成されていて、この支持板部６１１の見付け方向の両端部それぞれに固定板部６１２が連結されていてもよい。
【符号の説明】
【００４２】
１  上げ下げ窓
２  枠
３  上障子
４  下障子
５  無目
６  無目支持部
１２  壁部（躯体）
２３  縦枠
３３  第１加熱発泡材
５１  本体部
５２  芯材
５９  第２加熱発泡材
６１  無目支持具
６２  裏板
【図１】
0006676441.tif 000002
【図２】
0006676441.tif 000003
【図３】
0006676441.tif 000004
【図４】
0006676441.tif 000005
【図５】
0006676441.tif 000006
【図６】
0006676441.tif 000007
【図７】
0006676441.tif 000008
【図８】
0006676441.tif 000009
【図９】
0006676441.tif 000010